(57)【要約】【課題】  ユニットの着脱が容易であり、しかも取付け状態ではがたつくことなく強固な固定が可能であるユニット積層構造体を提供する。【解決手段】  垂直なベース部材１の上下方向に係合孔５を形成し、光ファイバ接続トレーなどのユニット２の裏面に形成された係合突起６をこれらの係合孔５に係合させることにより、多数のユニット２を上下方向に積層させる。また、各ユニット２には連結手段を設け、積層状態において上下方向に隣接するユニットどうしを、着脱自在に連結する。配線作業時に力が加わっても、がたつきのない強固な固定が可能であり、しかも上下のユニット２，２間の連結を解除すれば途中のユニット２のみを抜き取ることも可能である。【選択図】    図５
2006003794.tif 000002
【特許請求の範囲】
【請求項１】
垂直なベース部材の上下方向に形成された係合孔に、各ユニットの係合突起を係合させて多数のユニットを上下方向に積層させるとともに、積層状態において上下方向に隣接するユニットどうしを、着脱自在に連結したことを特徴とするユニット積層構造体。
【請求項２】
係合突起を、各ユニットの裏面両端に形成したことを特徴とする請求項１記載のユニット積層構造体。
【請求項３】
係止突起は、水平弾性片の先端に係合爪と、基部に開放突起を備えたものであることを特徴とする請求項１または２に記載のユニット積層構造。
【発明の詳細な説明】
【技術分野】
【０００１】
本発明は、例えば光ファイバ接続トレーのような平板状のユニットを上下方向に多段に積層したユニット積層構造体に関するものである。
【背景技術】
【０００２】
光ファイバ融着トレー、アダプタトレーなどの光ファイバ接続トレーは、特許文献１に示されるように光ファイバ接続ボックスの内部に数十枚が上下に積層され、ユニット積層構造体を構成している。各ユニットはベースとベース上に引き出し可能に支持された引き出しトレーとから構成されるのが普通である。
【０００３】
従来は特許文献１に示されるように、各ユニットを垂直なベース部材にそれぞれ個別にネジ止め固定していたのであるが、積層数が多いため取付け作業に多くの時間がかかるという問題があった。また、設置後に特定のユニットの付け替えが必要となったような場合にねじを外そうとしても、既に外部から光ファイバが引き込まれていることもあってユニットの奥までドライバを挿入してねじを着脱する作業が容易ではなく、ユニットの交換が容易ではないという問題があった。
【特許文献１】特開２００３−１４９４５８号公報
【発明の開示】
【発明が解決しようとする課題】
【０００４】
本発明は上記した従来の問題点を解決して、ユニットの着脱が容易であり、しかも配線作業時に力が加わってもがたつくことなく強固な固定が可能であるユニット積層構造体を提供するためになされたものである。
【課題を解決するための手段】
【０００５】
上記の課題を解決するためになされた本発明は、垂直なベース部材の上下方向に形成された係合孔に、各ユニットの後部両端に形成した係合突起を係合させて多数のユニットを上下方向に積層させるとともに、積層状態において上下方向に隣接するユニットどうしを、着脱自在に連結したことを特徴とするものである。
【発明の効果】
【０００６】
本発明によれば、ベース部材の上下方向に形成された係合孔に各ユニットの係合突起を係合させて多数のユニットをベース部材に支持させるようにしたので、積層数が多い場合にも取付け作業を短時間に行うことができる。しかも積層状態において上下方向に隣接するユニットどうしを着脱自在に連結したので、配線作業時に力が加わってもがたつくことなく強固に固定することができる。また上下に隣接するユニットの連結を解除すれば、任意のユニットを容易にベース部材から引き出すことができるので、設置後に特定のユニットの付け替えが必要となったような場合にも便利である。
【発明を実施するための最良の形態】
【０００７】
以下に本発明の好ましい実施形態を示す。
図１は本発明を適用した光ファイバ接続ボックスの斜視図であり、ボックス内部の垂直なベース部材１の前面に、多数のユニット２が上下方向に積層状態で取り付けられた状態を示している。各ユニット２は、光ファイバ融着トレー、アダプタトレーなどの光ファイバ接続トレーである。このような光ファイバ接続トレーは、図２に示されるようにスライドベース３と引き出しトレー４とからなり、引き出しトレー４をスライドベース３から手前に引き出し、配線作業などを行える構造となっている。
【０００８】
図１の詳細Ａに示すように、垂直なベース部材１には上下方向に一定ピッチで係合孔５が形成されている。そのピッチは各ユニット２の高さに対応させてある。この実施形態では係合孔５は縦長スリット状となっている。係合孔５はユニット１の横幅に合わせ、ベース部材１に左右２列に形成されている。
【０００９】
図３、図４に示されるように、各ユニット２の後部両端には、ベース部材１の係合孔５に挿入される係合突起６が突設されている。係合突起６は図４に拡大して示したように、長方形状の平板の中央部をくり抜いて水平弾性片７を設けるとともに、この水平弾性片７の先端に係合爪８を設けたものである。係合爪８の先端後面は斜面９になっており、先端前面は段部１０になっている。
【００１０】
このため、図４に示すようにユニット２の係合突起６をベース部材１の係合孔５に挿入し、係合爪８を係合孔５の裏面の周縁に係合させれば、ユニット２をベース部材１に取り付けることができ、多数のユニット２の取付けにも時間を要しない。なお、ベース部材１の板厚が異なる場合にも、段部１０により対応することができる。水平弾性片７の基部付近には円形の開放突起１１を設けてあり、この開放突起１１を指先で押圧することにより水平弾性片７を撓ませ、係合爪８と係合孔５との係合を解除してユニット２をベース部材１から引き抜くことが可能である。
【００１１】
なお、図５に示すように、係合爪８の先端前面を先端後面と逆の傾きを持った斜面１４とすれば、ユニット２を取り外すときに開放突起11を指先で押圧することなく、手前に引っ張るだけでベース部材１からユニット２を引き抜くこともでき、より簡単にユニット２の着脱作業が行なうことができる。
【００１２】
上記のように各ユニット２を個別にベース部材１に取り付けて上下方向に積層させるのであるが、各ユニット２はネジ止めされているわけではないので配線作業時に力が加わると、がたつくおそれがある。そこで本発明では積層状態において上下方向に隣接するユニット２，２どうしを、着脱自在に連結して安定させる。
【００１３】
ユニットどうしの連結手段は、スライドベース３の両側に形成されており、図６、図７に示すようにスライドベース３の両側壁から長方形板を上向きに突設させ、その先端を内側に屈曲させて弾性あるユニット爪１２を形成するとともに、スライドベース３の側面下部に嵌合孔部１３を形成したものである。このため下段のユニット２のユニット爪１２を図６のように上段のユニット２の嵌合孔部１３に嵌合させることにより、上下のユニット２，２を着脱自在に連結することができる。
【００１４】
なお、ユニット爪１２が嵌合する嵌合孔部１３は上下に2個設けられており、通常は上側の嵌合孔部１３ａを使用するが、ユニットの引き出しトレー４に特殊部品等を搭載する場合にその高さがわずかに引き出しトレー４の高さを超えてしまい、引き出しトレー４の摺動がスムーズに行なえなくなる恐れがあるときは、下側の嵌合孔部１３ｂを使用することにより、上側のユニット２との間にわずかな空間部ができ、引き出しトレー４の摺動がスムーズに行なえるものである。
【００１５】
上記したように、本発明では各ユニット２は個別にベース部材１に取り付けられ、上下方向に積層された積層構造体を構成するとともに、積層状態において上下方向に連結手段によって連結されている。このため、配線作業時に力が加わってもがたつきのない安定した積層構造体を構成することができるうえ、上下に隣接するユニット２，２間の連結を外せば、中堅のユニット２のみをベース部材１から取り外すことも可能となり、配線作業などを行うに便利である。
【００１６】
なお本発明は光ファイバ接続トレーの積層取付けに限定されるものではなく、扁平な各種ユニットの積層構造に広く適用できることはいうまでもない。
【図面の簡単な説明】
【００１７】
【図１】光ファイバ接続ボックスの斜視図である。
【図２】ユニットである光ファイバ接続トレーの引き出し状態の斜視図である。
【図３】ユニットである光ファイバ接続トレーの斜視図である。
【図４】係合突起を示す図であり、(A)は側面図、(B)は水平断面図、(C)はベース部材との係合状態の水平断面図である。
【図５】係合突起の別の形態を示す図であり、(A)は側面図、(B)は水平断面図、(C)はベース部材との係合状態の水平断面図である。
【図６】ユニットの連結手段を示す斜視図である。
【図７】連結手段の断面図である。
【符号の説明】
【００１８】
１  ベース部材
２  ユニット
３  スライドベース
４  引き出しトレー
５  係合孔
６  係合突起
７  水平弾性片
８  係合爪
９  斜面
１０  段部
１１  開放突起
１２  ユニット
１３  嵌合孔部
【図１】
2006003794.tif 000003
【図２】
2006003794.tif 000004
【図３】
2006003794.tif 000005
【図４】
2006003794.tif 000006
【図５】
2006003794.tif 000007
【図６】
2006003794.tif 000008
【図７】
2006003794.tif 000009